(57)【要約】      （修正有）【課題】電気刺激装置の脱着可能な保護具固定バンド構造を提供する。【解決手段】保護具固定バンド構造は、電気刺激装置本体１０と、保護具固定バンド２０とを備え、電気刺激装置本体１０が本体シート１１と電気刺激装置１２とを含む、本体シート１１は電気刺激装置１２の両側に少なくとも一つの本体連結具１３を設け、電気刺激装置１２を本体シート１１に取り付ける。保護具固定バンド２０が保護具固定バンドシート体２１を有し、保護具固定バンドシート体２１に保護具固定バンド収納部２３を設け、保護具固定バンド収納部２３が電気刺激装置１２に対応して設けていて、かつ、保護具固定バンドシート体２１の裏面は保護具固定バンド収納部２３の両側に、それぞれ少なくとも保護具固定バンド連結具２３１を設け、保護具固定バンドシート体２１の保護具固定バンド連結具２３１と、本体シート１１の本体シート連結具１３とを互いに締結する。【選択図】図２
0003228212.tif 000002
【実用新案登録請求の範囲】
【請求項１】
電気刺激装置本体と、保護具固定バンドとを備え、
前記電気刺激装置本体が本体シートと、電気刺激装置とを有し、前記電気刺激装置を前記本体シートに設け、前記本体シートは前記電気刺激装置両側に少なくとも一つの本体連結具を設け、
前記保護具固定バンドが保護具固定バンドシート体を有し、前記保護具固定バンドシート体に保護具固定バンド収納部を設け、前記保護具固定バンド収納部が前記電気刺激装置に対応して設けられ、前記保護具固定バンドシート体の内面は、前記保護具固定バンド収納部の両側にそれぞれ少なく一つの保護具固定バンド連結具を設け、前記保護具固定バンドシート体の前記保護具固定バンド連結具と、前記本体シートの前記本体連結具と相互に締結することによって、前記電気刺激装置が対応して前記保護具固定バンド収納部に設けることを特徴とする、電気刺激装置の脱着可能な保護具固定バンド構造。
【請求項２】
前記保護具固定バンド収納部に貫通穴を有し、前記貫通穴が電気刺激装置の形状に対応した穴態様を形成し、前記電気刺激装置を対応して貫通穴に嵌着して、前記保護具固定バンドシート体の外面に露出させることを特徴とする、請求項１記載の電気刺激装置の脱着可能な保護具固定バンド構造。
【請求項３】
前記電気刺激装置を操作制御するためのワイヤレス操作モジュールをさらに有することを特徴とする、請求項１記載の電気刺激装置の脱着可能な保護具固定バンド構造。
【請求項４】
前記保護具固定バンド連結具と、前記本体連結具が粘着バンドまたは面ファスナーであることを特徴とする、請求項１記載の電気刺激装置の脱着可能な保護具固定バンド構造。
【請求項５】
前記本体シートの両側にそれぞれ電気導通された前記電気刺激装置の弱めキーと強めキーを設け、前記保護具固定バンドシート体の両側にそれぞれ操作貫通穴を設けて、前記２つの操作貫通穴がそれぞれ前記弱めキーと、前記強めキーに対応して設けることを特徴とする、請求項２記載の電気刺激装置の脱着可能な保護具固定バンド構造。
【請求項６】
前記保護具固定バンドシート体の外面にそれぞれ固定バンドを設け、前記固定バンドが内側固定バンドを有し、前記固定バンドを締結具に連結し、前記締結具に外側固定バンドを穿設し、前記外側固定バンドの牽引調節によって、固定強さの調節を行うことができることを特徴とする、請求項２記載の電気刺激装置の脱着可能な保護具固定バンド構造。
【請求項７】
前記保護具固定バンドシート体の外面にフラップ末端部を有し、前記フラップ末端部に自動連結区域を形成して、前記２つの自動連結区域の対向接触面にそれぞれ相互締結するための自動連結具を有することを特徴とする、請求項１記載の電気刺激装置の脱着可能な保護具固定バンド構造。
【請求項８】
前記保護具固定バンドシート体が前記保護具固定バンド連結具と、前記保護具固定バンド連結具の隣接区域の２つの外面にそれぞれ外側に２つの外側固定バンドを延在し、対となる前記２つの外側固定バンドを相互粘着するための固定バンド連結具を設けることを特徴とする、請求項２記載の電気刺激装置の脱着可能な保護具固定バンド構造。
【請求項９】
前記保護具固定バンドシート体は前記電気刺激装置に対向する他端の両側にそれぞれ内側向きに交差する内側固定バンドを設け、前記内側固定バンドの端部に前記固定バンド連結具を設けることを特徴とする、請求項８記載の電気刺激装置の脱着可能な保護具固定バンド構造。
【考案の詳細な説明】
【技術分野】
【０００１】
本考案は保護具固定バンド構造に関し、特に電気刺激装置と結合して、保護具固定バンドを電気刺激装置に組み合わせて使用することによって、利便性と経済実用性を達成可能な電気刺激装置の脱着可能な保護具固定バンド構造に関する。
【背景技術】
【０００２】
電気刺激装置は現在保健、治療補助の電子器材であり、電気刺激または電子パルス方式をもって、筋肉を収縮、運動させる物理効果を利用し、治療や各種疼痛の緩和等によく使用されている。
公知電気刺激装置の構造は、結合して一体となる電気刺激装置本体と、体の部位に固定する固定バンドとを含む、固定バンドは電気刺激装置本体の両側より延在して形成し、体の特定部位または局所区域の固定に用いられる。
【考案の概要】
【考案が解決しようとする課題】
【０００３】
しかし、この種の電気刺激装置を体の部位に適用することによって、電気刺激効果は達成できるものの、なお欠点が残されている。一例として、公知電気刺激装置を体に適用する際は、固定バンドをもって体に固定するが、しかし、体の各部位で適用する場合、その締結方法は一様でない。腰部と臀部、腿部それぞれの固定が異なる。電気刺激装置によって発揮する機能は同じものの、固定バンドをしっかり固着できなければ、使用の不便またはすぐに緩んでしまう。この課題を解決するため、一般として、適用する必要な部位にしっかり固着させる電気刺激装置固定バンドを選択しなければならない。しかし、その後に体他の部位に適用する場合には、前述した電気刺激装置の固着問題を引き起こすため、理想な設計と言えない。さらに、電気刺激装置の使用機能を発揮する主体は電気刺激装置である。しかし、電気刺激装置本体と、固定バンドとを一体化して結合する設計において、刺激装置または固定バンドが損傷した場合、電気刺激装置ごとに正常使用ができなくなり、損傷した固定バンドを交換して、電気刺激装置本体を引き続きに使用することができない。または全体使用の経済効果を増やせるため、損傷した電気刺激装置本体を交換し固定バンドの浪費を軽減せざるを得ない。この点も改善すべき欠点課題である。
【課題を解決するための手段】
【０００４】
本考案の一つの目的は、電気刺激装置本体と、保護具固定バンドを分解または組み合わせ使用することができ、電気刺激装置は体のさまざまな部位での固定効果に基づき、適用可能な保護具固定バンドを交換することができ、組み合わせ使用には、電気刺激装置本体の常な操作制御機能を妨げることなく、使用が極めて便利と経済的実用性を有する。
【０００５】
本考案のもう一つの目的は、現在の単一機能で使用されている各種の運動ケア型保護具固定バンドについて、既存機能の使用場面のままに、より簡単に電気刺激装置と結合して適用することによって、適用範囲を大きく広げられる電気刺激装置の脱着可能な保護具固定バンド構造を提供する。
【０００６】
本考案が前述目的を達成するために講じる技術手段は、電気刺激装置本体と、保護具固定バンドとを備え、電気刺激装置本体が本体シートと電気刺激装置とを含む、本体シートは電気刺激装置の両側に少なくとも一つの本体連結具を設け、電気刺激装置を本体シートに取り付ける。保護具固定バンドが保護具固定バンドシート体を有し、保護具固定バンドシート体に保護具固定バンド収納部を設け、保護具固定バンド収納部が電気刺激装置に対応して設けていて、かつ、保護具固定バンドシート体の裏面は保護具固定バンド収納部の両側にそれぞれ少なくとも一つの保護具固定バンド連結具を設け、保護具固定バンドシート体の保護具固定バンド連結具と、本体シートの本体シート連結具とを互いに締結して、電気刺激装置を保護具固定バンド収納部に対応して設けることができる。
【０００７】
この実施例において、保護具固定バンド収納部が保護具固定バンドの中央区域に設けられている。
【０００８】
この実施例において、保護具固定バンド収納部は貫通穴をさらに有し、貫通穴が電気刺激装置の形状に対応した穴態様を形成され、電気刺激装置をこれに合わせて貫通穴に嵌着させて、保護具固定バンドシート体の外面に露出させる。
この実施例において、保護具固定バンド連結具と、本体連結具が接着バンドまたはベルクロ（登録商標）面ファスナーを実施する。
【０００９】
この実施例において、本体シートの両側にそれぞれ電気導通された電気刺激装置の弱めキーと強めキーを設け、保護具固定バンドシート体の両側にそれぞれ操作貫通穴を設けて、２つの操作貫通穴がそれぞれ弱めキー、強めキーに対応して設けられている。
【００１０】
この実施例において、電気刺激装置にワイヤレス操作モジュールをさらに設けて、ワイヤレスによってオン、オフまたは電気刺激強度を増やすや弱める調整することができる。
【００１１】
この実施例において、保護具固定バンドシート体の外面にそれぞれ固定バンドを設け、固定バンドが内側固定バンドを有し、内側固定バンドを締結具に連結し、締結具に外側固定バンドを穿設し、外側固定バンドの牽引調節によって、固定強さの調節を行うことができる。
【００１２】
この実施例において、保護具固定バンドシート体の外面にフラップ末端部を有し、フラップ末端部に自動連結区域を形成して、２つの自動連結区域の対向接触面にそれぞれ相互締結するための自動連結具を有する。
【００１３】
この実施例において、保護具固定バンドシート体が保護具固定バンド収納部と、保護具固定バンドフラップ部の隣接区域の２つの外面にそれぞれ外側に２つの外側固定バンドを延在し、２つの対となる外側固定バンドを相互粘着するための固定バンド連結具を設けられている。
【００１４】
この実施例において、保護具固定バンドシート体は電気刺激装置に対向する他端の両側にそれぞれ内側向きに交差する内側固定バンドを設け、内側固定バンドの端部に固定バンド連結具を設けられている。
【００１５】
審査官が本考案の技術特徴及び達成する効果にさらなる理解及び認識を図るため、好ましい実施態様図と合わせて、次のとおり詳細説明する。
【図面の簡単な説明】
【００１６】
【図１】本考案の第１実施例による組み合わせ態様図である。
【図２】本考案の第１実施例による分解構造図である。
【図３】本考案の第１実施例による応用変化態様図である。
【図４】本考案の第１実施例による見下ろし態様図である。
【図５】本考案の第２実施例による電気刺激装置本体の態様図である。
【図６】本考案の第２実施例による組み合わせ態様図である。
【図７】本考案の第２実施例による応用態様図である。
【考案を実施するための形態】
【００１７】
図１、図２、本考案の電気刺激装置の脱着可能な保護具固定バンド構造の第１実施例を参照する。電気刺激装置１が電気刺激装置本体１０と、保護具固定バンド２０とを備え、電気刺激装置本体１０に本体シート１１と、電気刺激装置１２とを有する。そのうち、電気刺激装置１２を本体シート１１に取り付けている（この実施例において、本体シートの中央位置に設けている）。本体シート１１が電気刺激装置１２の両側にそれぞれ本体連結具１３を設ける。本体シート連結具１３の外側が本体外部連結具１４をさらに設け、本体シート連結具１３と、本体外部連結具１４が粘着バンドまたはベルクロ（登録商標）などの構成であっても良い。電気刺激装置１２に押しボタンや表示灯などの操作表示素子１２１を設ける。２つの本体外部連結具１４にそれぞれ一（−）弱めキー１５と（＋）強めキー１６を設け、弱めキー１５と強めキー１６が電気刺激装置１２と電気導通し、電気刺激装置１２に電気刺激の使用強度の調節制御に用いる。
【００１８】
保護具固定バンド２０に保護具固定バンドシート体２１を有し、保護具固定バンドシート体２１が保護具固定バンド収納部２３（この実施例において、保護具固定バンド収納部２３を保護具固定バンド２０の中央区域に設けている）と、保護具バン収納部２３の両側に設ける保護具固定バンドフラップ部２４とを含む。保護具固定バンド収納部２３にて電気刺激装置１２の形状に対応して貫通穴２２を設け、保護具固定バンドシート体２１が本体シート１１の一表面（内面）と対向し、貫通穴２２（保護具固定バンド収納部２３）の両側にそれぞれ本体シート連結具１３に対応した一対の保護具固定バンド連結具２３１を設け、保護具固定バンド連結具２３を本体シート連結具１３と相互に粘着または締結することができる。保護具固定バンド連結具２３１の外部は、中央区域連結具２３２を更に設け、中央区域連結具２３２は例えば、本体外部連結具１４と相互に粘着または締結することができる。保護具固定バンド連結具２３１と、中央区域連結具２３２も同じくと相互に粘着または締結などの構成に形成しても良い。両側の中央区域連結具２３２にそれぞれ操作貫通穴２５を設け、２つの操作貫通穴２５をそれぞれ弱めキー１５、強めキー１６に対応して設ける。
【００１９】
さらに、保護具固定バンドシート体２１は外面に所望の両側区域、例えば保護具固定バンド収納部２３と、保護具固定バンドフラップ部２４との隣接区域において、それぞれ固定バンド２６をさらに設け、固定バンド２６が内側固定バンド２６１を有し、内側固定バンド２６１を保護具固定バンド収納部２３（保護具固定バンドシート体２１）に固定していて、内側固定バンド２６１が締結具２６３と連結し、締結具２６３に外側固定バンド２６２を穿設し、外側固定バンド２６２を保護具固定バンドフラップ部２４（保護具固定バンドシート体２１）に固定し、外側固定バンド２６２が締結具２６３を穿設する一端に固定バンド連結具２６２Ａを設け、固定バンド連結具２６２Ａは粘着バンド、ベルクロ（登録商標）面ファスナーなどの構成であっても良い。さらに、保護具固定バンドフラップ部２４の外側にフラップ末端部２４１を有し、フラップ末端部２４１に自動連結区域２４０を設け、２つの自動連結区域２４０の対向接触面にそれぞれ一つの自動連結具２４２、２４３を設け、自動連結具２４２、２４３は粘着バンド、ベルクロ（登録商標）面ファスナーなどの構成で相互に締結する構造であっても良い。
【００２０】
本考案の電気刺激装置の脱着可能な保護具固定バンド構造を組み合わせる際は、電気刺激装置１２の保護具固定バンドシート体２１の内面を貫通穴２２に対応して嵌着し、電気刺激装置１２を保護具固定バンドシート体２１の外面に露出させて、電気刺激装置１２の操作表示素子１２１（押しボタン、表示灯など）を操作または表示できるようにした上、引き続き、保護具固定バンド連結具２３１と、本体シート連結具１３とを粘着または締結して、中央区域連結具２３２と、本体外部連結具１４とを粘着または締結し、さらに、弱めキー１５、強めキー１６をそれぞれ対応の操作貫通穴２５より露出させて、操作に備えて置く。以上で電気刺激装置１の組み合わせ固定を完了する。
【００２１】
引き続き図３、本考案の電気刺激装置の脱着可能な保護具固定バンド構造第１実施例の変化例を参照する。一好ましい実施方法において、保護具固定バンド２０は例えば、固定バンド、運動用腰部固定バンド、健身用腰部固定バンド、スポーツ用腰部シェップアップバンド、女性腰部保護用固定バンド、腿部固定バンド、シェップアップバンド、サウナバンド等のスポーツ、ケア用保護具固定バンド２０などを含む。すなわち、保護具固定バンド２０に保護具固定バンド収納部２３の貫通穴２２を設けない。このような構成で、電気刺激装置本体１０（本体シート１１）と、保護具固定バンド２０（保護具固定バンドシート体２１）との結合も同じく保護具固定バンド連結具２３１と、本体シート連結具１３とを粘着または締結して、中央区域連結具２３２と、本体外部連結具１４とを粘着または締結することによって、電気刺激装置１２を保護具固定バンド２０（保護具固定バンドシート体２１）の内面に設けて使用する。この実施例において、電気刺激装置にワイヤレス操作モジュールをさらに設けておリ、ワイヤレス操作によってオン、オフまたは電気刺激強度の強めまたは弱め調整することができる。このように、保護具固定バンド２０と電気刺激装置１と結合した上、ワイヤレス操作モジュール２００を介して電気刺激操作使用することによって、適用範囲を広げられる。
【００２２】
図４を合わせて参照する。本考案の電気刺激装置の脱着可能な保護具固定バンド２０構造を適用する場合は、図に示すように、電気刺激装置１を体１００の腰部１０１に適用する。電気刺激装置本体１０はすでに保護具固定バンド２０の内面に固定しており、すなわち、電気刺激装置１２を作用したい体の部位に照準して置き、続いてフラップ末端部２４１の自動連結具２４２、２４３を互いに粘着または締結固定させる。さらに、きつさを微調整する場合には、固定バンド２６（外側固定バンド２６２）を介して牽引調節し、外側固定バンド２６２の固定バンド連結具２６２Ａも締結具２６３を介して自動係着による固定か、または固定バンド連結具２６２Ａによって、自動連結区域２４０に設けられた自動連結具２４２、２４３に粘着固定することができる。
【００２３】
図５、図６、本考案の電気刺激装置の脱着可能な保護具固定バンド構造の第２実施例を参照する。電気刺激装置１は電気刺激装置本体３０と、保護具固定バンド４０とを備えていて、電気刺激装置本体３０は本体シート３１と、電気刺激装置３２とを有する。そのうち、電気刺激装置３２を本体シート３１に取り付けており、電気刺激装置３２の両側にそれぞれ本体連結具３３を設ける。本体シート連結具３３は例えば粘着バンドまたはベルクロ（登録商標）面ファスナーなどの構成であっても良い。電気刺激装置３２の両端にそれぞれ（−）弱めキー３５と、（＋）強めキー３６を設けていて、弱めキー３５と強めキー３６は、電気刺激装置３２の電気刺激の使用強度調節制御に用いられる。
【００２４】
保護具固定バンド４０が保護具固定バンドシート体４１を有し、保護具固定バンドシート体４１に貫通穴４２を設け、貫通穴４２が電気刺激装置３２の形状に対応した貫通穴を形成されている。保護具固定バンドシート体４１が本体シート３１の対向面（裏面）は、貫通穴４２の両側表面にそれぞれ本体シート連結具３３に対応した保護具固定バンド連結具４３を設けていて、保護具固定バンド連結具４３を本体シート連結具３３と粘着または締結する。保護具固定バンドシート体４１は保護具固定バンド連結具４３において、両側をそれぞれ外側に延在して、２つの外側固定バンド４４、４６を設け、２つの対となる外側固定バンドは、固定バンド４４、４６がそれぞれに相互粘着または締結するための連結具４５、４７を設けられている。図に示すように、外側固定バンド４４（連結具４５）と、保護具固定バンド連結具４３は例えば、Ｌ型に形成しても良い。さらに、保護具固定バンドシート体４１（外側面）は電気刺激装置３２他端の両側に、内側向きに交差する内側固定バンド４８を設け、内側固定バンド４８の端部に固定バンド連結具４８１を設ける。前述保護具固定バンド連結具４３と、連結具４５、４７と、固定バンド連結具４８１は例えば、粘着バンド、ベルクロ（登録商標）面ファスナーの構成であっても良い。組み合わせる際、電気刺激装置３２を貫通穴４２に対応して嵌設することによって、電気刺激装置３２を保護具固定バンドシート体４１の外面に露出して置き、電気刺激装置３２に設ける操作表示素子３４（押しボタン、表示灯など）と、弱めキー３５、強めキー３６を操作または表示できるようにする。
【００２５】
引き続き、本考案の電気刺激装置の脱着可能な保護具固定バンド構造第２実施例の変化例を参照する。保護具固定バンド４０に貫通穴４２を設けない。このような構成で、電気刺激装置本体３０（本体シート３１）と、保護具固定バンド４０（保護具固定バンドシート体４１）との結合も同じく保護具固定バンド連結具２３１と、本体シート連結具１３とを粘着または締結して、電気刺激装置３２を保護具固定バンド４０（保護具固定バンドシート体４１）の内面に設けて使用する。この実施例において、電気刺激装置１はワイヤレス操作モジュール２００（例えば、リモコン）を介して電気刺激を操作使用することによって、適用範囲を広げられる。
【００２６】
図７を合わせて参照する。本考案の電気刺激装置の脱着可能な保護具固定バンド構造の第２実施例を適用する場合は、図に示すように電気刺激装置本体３０を体１００の腿部１０２に適用し、電気刺激装置３２を作用したい部位に照準して置き、対となる外側固定バンド４４、４６の連結具４５、４７とを相互に粘着固定した上、２つの内側固定バンド４８の固定バンド連結具４８１を微調整及び固定し、対応の外側固定バンド４４の連結具４５に粘着することによって、腿部１０２に密着して、電気刺激操作することができる。
【００２７】
前述第１実施例における本体連結具１３、本体外部連結具１４、保護具固定バンド連結具２３１、固定バンド連結具２６２Ａ、中央区域連結具２３２、自動連結具２４２、２４３及び第２実施例における本体連結具３３、保護具固定バンド連結具４３、連結具４５、４７、固定バンド連結具４８１のすべてを接着固定バンドまたはベルクロ（登録商標）面ファスナーなどの連結具と見なしても良い。
【００２８】
前述第１実施例、第２実施例において、電気刺激装置本体１０（３０）の電気刺激装置１２（３２）の内部に、加熱装置（図示しない）をさらに加えて、同時に加熱湿布機能を持たせても良い。しかし、これに限られない。
以上の具体的な実施例を用いて本考案を詳細説明しているが、本考案は、以上に取り上げた実施例に限らず、本考案の技術構想範囲に基づいて、それらの構造に対する変化および修飾もなお本考案の請求範疇に含めるものとする。
【符号の説明】
【００２９】
１    電気刺激装置
１０    電気刺激装置本体
１１    本体シート
１２    電気刺激装置
１２１    操作表示素子
１３    本体連結具
１４    本体外部連結具
１５    弱めキー
１６    強めキー
２０    保護具固定バンド
２１    保護具固定バンドシート体
２２    貫通穴
２３    保護具固定バンド収納部
２３１    保護具固定バンド連結具
２３２    中央区域連結具
２４    保護具固定バンドフラップ部
２４０    自動連結区域
２４１    フラップ端部
２４２、２４３    自動連結具
２５    操作貫通穴
２６    固定バンド
２６１    内側固定バンド
２６２    外側固定バンド
２６２Ａ    固定バンド連結具
２６３    締結具
３０    電気刺激装置本体
３１    本体シート
３２    電気刺激装置
３３    本体連結具
３４    操作表示素子
３５    弱めキー
３６    強めキー
４０    保護具固定バンド
４１    保護具固定バンドシート体
４２    貫通穴
４３    保護具固定バンド連結具
４４、４６    外側固定バンド
４５、４７    連結具
４８    内側固定バンド
４８１    固定バンド連結具
１００    体
１０１    腰部
１０２    腿部
２００    ワイヤレス操作モジュール
【図１】
0003228212.tif 000003
【図２】
0003228212.tif 000004
【図３】
0003228212.tif 000005
【図４】
0003228212.tif 000006
【図５】
0003228212.tif 000007
【図６】
0003228212.tif 000008
【図７】
0003228212.tif 000009
【手続補正書】
【提出日】令和2年7月15日(2020.7.15)
【手続補正１】
【補正対象書類名】実用新案登録請求の範囲
【補正対象項目名】請求項１
【補正方法】変更
【補正の内容】
【請求項１】
電気刺激装置本体と、保護具固定バンドとを備え、
前記電気刺激装置本体が本体シートと、電気刺激装置とを有し、前記電気刺激装置を前記本体シートに設け、前記本体シートは前記電気刺激装置両側に少なくとも一つの本体連結具を設け、
前記保護具固定バンドが保護具固定バンドシート体を有し、前記保護具固定バンドシート体に保護具固定バンド収納部を設け、前記保護具固定バンド収納部が前記電気刺激装置に対応して設けられ、前記保護具固定バンドシート体の内面は、前記保護具固定バンド収納部の両側にそれぞれ少なくとも一つの保護具固定バンド連結具を設け、前記保護具固定バンドシート体の前記保護具固定バンド連結具と、前記本体シートの前記本体連結具と相互に締結することによって、前記電気刺激装置が対応して前記保護具固定バンド収納部に設けられることを特徴とする、電気刺激装置の脱着可能な保護具固定バンド構造。